(57)【要約】      （修正有）【課題】薄型軽量とした保温保冷シートを提供する。【解決手段】保温保冷シート１は、フレキシブルフィルム製の袋体２の内部に３次元織物３が封止され、この３次元織物３によって形成される各繊維間の空間内にマイクロカプセル状の蓄熱剤４を保持する。袋体２は、防水性、水分非透過性のフィルムであり、３次元織物３は、３ｍｍ〜２０ｍｍの所定の間隔で形成された上部及び下部の層の間に、複数の繊維が、湾曲或いは傾斜させた状態で延伸して連結され、蓄熱材４は、樹脂によって形成されたマイクロカプセルの内部に、パラフィン等の相変化蓄熱材をコアとして封入する。【選択図】図１
0003197703.tif 000002
【実用新案登録請求の範囲】
【請求項１】
フレキシブルフィルム製の袋体の内部に３次元織物が封止され、この３次元織物によって形成される各繊維間の空間内にマイクロカプセル状の蓄熱剤が保持された保温保冷シート。
【請求項２】
マイクロカプセル内に封入される蓄熱剤は、氷点下の温度であっても流動性を有する相変化蓄熱剤をコアとした請求項に記載の保温保冷シート。
【考案の詳細な説明】
【技術分野】
【０００１】  本考案は、袋体の内部に蓄熱剤を保持した３次元織物を封止した薄型軽量の保温保冷シートに関する。
【背景技術】
【０００２】  従来の保冷材等は、内部充填量を大きくすることで、充填物の偏りを防いでいる。例えば水枕は、袋体の内部に水を入れている。この場合、頭の重量で水が周囲に押し出されることがあり、これを防止するためには、水枕の内部に必要十分な水量を充填する必要があり、水量が少ない場合には、肝心の頭の下に水が存在しなくなって、保冷効果を失うことになる。また、スポーツクールダウンに用いられるパックの場合にも、十分な水量を入れる必要があり、少ない場合は、低い所に溜まってしまう。
【考案の概要】
【考案が解決しようとする課題】
【０００３】  例えば水枕等の保冷材は、内部に水を入れているが、水は０℃で相変化を起こし、相変化温度以下では、凍結により固化し、フレキシビリティーを失う問題がある。また、頭の重量で水が周囲に押し出されることを防止するために、水枕の内部に必要十分な水量を充填する必要があることから、水枕自体の高さが大きくなるとともに、重量が大きくなる問題もある。さらに、水枕の内部に大量の水を入れて頭を乗せた場合には、水枕内が高圧になることから、水枕から漏水することがあり、或いは破裂する問題もある。【０００４】  本考案が解決しようとする課題は、袋体の内部に蓄熱剤を保持した３次元織物を封止することにより、薄型軽量とした保温保冷シートを提供することにある。
【課題を解決するための手段】
【０００５】  そこで、本考案による保温保冷シートは、フレキシブルフィルム製の袋体の内部に３次元織物が封止され、この３次元織物によって形成される各繊維間の空間内にマイクロカプセル状の蓄熱剤を保持することを要旨としている。【０００６】  また、マイクロカプセル内に封入される蓄熱剤は、氷点下の温度であっても流動性を有する相変化蓄熱剤をコアとすることが望ましい。
【考案の効果】
【０００７】  本考案による保温保冷シートによれば、袋体の内部に３次元織物を封止し、この３次元織物の各繊維３ａ間の空間内にマイクロカプセル状の蓄熱剤を保持することにより、保温保冷シートを薄型軽量とすることができる。蓄熱剤が３次元織物によって保持されているので、蓄熱剤の流動が阻止されるので、例えば水枕に使用した場合、頭の重量で蓄熱剤が周囲に押し出されることが少なくなり、頭を冷却することが可能となる。また、薄型軽量に構成できるので、凹凸のある物体、例えば、人体の腕や身体等に巻きつけるなど、３次元に使用することが可能となる。【０００８】  また、マイクロカプセル内に封入される蓄熱剤として、氷点下の温度であっても流動性を有する相変化蓄熱剤をコアとすることにより、蓄熱剤が凍結により固化することがないので、保冷、保温、冷却、加温のいずれの場合でも使用することが可能となる。
【図面の簡単な説明】
【０００９】
【図１】本考案に関わる保温保冷シートの実施例を示す断面図である。
【図２】保温保冷シートを示す斜視図である。
【図３】袋体に蓄熱剤及び３次元織物を挿入する状態を示す説明図である。
【考案を実施するための形態】
【００１０】  本考案による保温保冷シートは、フレキシブルフィルム製の袋体の内部に３次元織物が封止され、この３次元織物によって形成される各繊維３ａ間の空間内にマイクロカプセル状の蓄熱剤を保持するようにしている。
【００１１】  以下、図面に基づいて本考案の実施例を詳細に説明する。図１、図２は、保温保冷シート１の実施例を示し、フレキシブルフィルム製の袋体２の内部に３次元織物３が封止され、この３次元織物３によって形成される各繊維３ａ間の空間内にマイクロカプセル状の蓄熱剤４を保持するようにしている。
【００１２】  袋体２は、防水性・水分非透過性のフィルム例えば、フレキシブルポリエチレン類のラミネートフィルム、熱可塑性エラストマーフィルム、等が使用できる。更に透湿性を抑えるため、フィルムにアルミニウム蒸着またはアルミニウムフィルムをラミネートすることが好ましい。このような処理を施すことによって、長期間の使用に適する。なお、肌あたりを考慮し、表面のフィルム素材に柔軟性・凹凸を加えても良い。また、非接触側には、断熱性能を付与させたフィルムも選択できる。
【００１３】  ３次元織物３は、３ｍｍ〜２０ｍｍ程度の所定の間隔で形成された上部及び下部の層の間に、複数の繊維３ａ（フィラメント）が、湾曲或いは傾斜させた状態で延伸して連結され、各繊維３ａ間には空間が形成されている。この構成によって弾力性を有するため、外力が加わる際、それ自身が外力に合わせて変形する。３次元織物３は、旭化成繊維、テイジン、住江織物等から販売されている市販品を使用することができる。なお、３次元織物３としては、繊維３ａを三次元状に複雑に絡み合わせて所定の厚さに形成し、各繊維３ａの間には空間が形成されたものでも良く、東洋紡から販売されている。
【００１４】  蓄熱剤４は、メラミン樹脂等の樹脂によって形成されたマイクロカプセルの内部に、例えば、パラフィン等の相変化蓄熱剤をコアとして封入することにより、この相変化蓄熱剤が個体と液体の状態へ相変化するときに潜熱を吸放熱するようにしている。この蓄熱剤４の形態は、乳白色スラリー、粘調ゲル、或いは、粉末状があり、これらから適宜に選択される。蓄熱剤４は、三木理研工業株式会社製の蓄熱蓄冷マイクロカプセルが使用可能である。相変化蓄熱剤の融点を変更することにより、−１０℃から５０℃の温度で使用可能である。また、相変化蓄熱剤がマイクロカプセルに封入していることから、氷点下の温度であっても、流動性を有している。なお、マイクロカプセルの大きさは、３次元織物３に形成されている各繊維３ａ間の空間の大きさよりも小さくしている。
【００１５】  このように、相変化蓄熱剤をマイクロカプセル内に保持した蓄熱剤４は、図１に示すように、３次元織物３の各繊維３ａ間に形成されている空間内に保持される。この蓄熱剤４の量は、蓄熱剤４の空間がほぼ埋まる程度としている。これにより、蓄熱剤４は３次元織物３の各繊維３ａ間に平均的に分布し、偏りを著しく減少させることができる。蓄熱剤４が各繊維３ａ間の空間内に保持されると、各繊維３ａには表面張力現象が生じる。このため、蓄熱剤４が空間内に滞留して移動が抑制され、蓄熱剤４の流動が小さくなって空間内に安定させることができる。この現象は、蓄熱剤４として水などの液体を使用した場合と比較して安定性は大幅に向上する。
【００１６】  図３は、袋体２に蓄熱剤４及び３次元織物３を挿入する状態を示している。袋体２は、所定の大きさとした２枚のフィルムを重ね、予め３辺の接着代２ａを接着または溶着によって封止する。その後、１辺の開口部から、３次元織物３を投入し、さらに所定量の蓄熱剤４を流入する。そして、蓄熱剤４が３次元織物３の各繊維３ａ間に平均的に分布させる。３次元織物３の各繊維３ａ間から溢れた蓄熱剤４は除去することが望ましい。その後、袋体２の内部の空気を抜きながら１辺の開口部を接着または溶着によって封止することにより完成する。
【００１７】  以上のように構成した保温保冷シート１は、例えば水枕に使用した場合、頭を保温保冷シート１に乗せても、３次元織物３自体の弾力性によって沈み込む程度に保たれる。このとき、蓄熱剤４が３次元織物３の空間内に滞留して移動が抑制されているので、蓄熱剤４が大きく流動しないことから、頭の下も確実に冷却することが可能となる。また、蓄熱剤４として上述した相変化蓄熱剤を内部に保持したマイクロカプセルを使用しているため、相変化温度以下であっても、凍結による固化が生じないので、広範囲な温度変化に対しても常にフレキシビリティーを保つことができる。
【００１８】  以上、本発明を実施例に基づき具体的に説明したが、本発明は上記実施例に限定されるものではなく、その要旨を逸脱しない範囲で種々変形可能であることは言うまでもない。前述した実施例において、保温保冷シートの形状を四角形としたが、三角や円形等の形状の他、ベスト等の衣類の形状として使用者が着用可能に変更しても良い。また、３次元織物を複数枚重ねて、保温保冷シートの厚さを調整するようにしても良い。
【符号の説明】
【００１９】１    保温保冷シート
２    袋体
３    ３次元織物
４    蓄熱剤
【図１】
0003197703.tif 000003
【図２】
0003197703.tif 000004
【図３】
0003197703.tif 000005
【手続補正書】
【提出日】平成27年3月9日(2015.3.9)
【手続補正１】
【補正対象書類名】実用新案登録請求の範囲
【補正対象項目名】全文
【補正方法】変更
【補正の内容】
【実用新案登録請求の範囲】
【請求項１】
フレキシブルフィルム製の袋体の内部に３次元織物が封止され、この３次元織物によって形成される各繊維間の空間内にマイクロカプセル状の蓄熱剤が保持された保温保冷シート。
【請求項２】
マイクロカプセル内に封入される蓄熱剤は、氷点下の温度であっても流動性を有する相変化蓄熱剤をコアとした請求項１に記載の保温保冷シート。